(57)【要約】  電気化学セルは、ハウジングを有する。ハウジングは、少なくとも１つの開放端及び側壁を有する。アノード、カソード、アノードとカソードとの間に配置されるセパレータ及び電解質は、ハウジング内に含まれる。磁気ダイバータは、ハウジングの側壁の外面に貼付されている。磁気ダイバータは、凹部を含む。集積回路は、凹部内に配置されている。
2016518682.tif 000002
【特許請求の範囲】
【請求項１】
電気化学セルが、少なくとも１つの開放端及び側壁を有するハウジングと、前記ハウジング内の、アノード、カソード、前記アノード及び前記カソードの間に配置されたセパレータ、及び電解質と、を備え、磁気ダイバータが、前記ハウジングの前記側壁の外面に付着されており、前記磁気ダイバータが、凹部と前記凹部内に配置された集積回路とを備えることを特徴とする電気化学セル。
【請求項２】
前記ハウジングが円筒状又は角柱状である、請求項１に記載の電気化学セル。
【請求項３】
前記集積回路が、半導体、シリコンチップ、及び印刷電子回路からなる群から選択される、請求項１又は２に記載の電気化学セル。
【請求項４】
前記電気化学セルのサイズが、単五、単四、単三、単二、単一及び９Ｖからなる群から選択される、請求項１から３のいずれか一項に記載の電気化学セル。
【請求項５】
前記集積回路が、外部電源によって給電されるか、前記電気化学セルによって給電されるか、又は前記電気化学セルによって部分的に給電される、請求項１から４のいずれか一項に記載の電気化学セル。
【請求項６】
前記集積回路が、アナログ−ディジタル変換器及び通信回路を備える、請求項１から５のいずれか一項に記載の電気化学セル。
【請求項７】
前記通信回路が、無線自動周波数識別（ＲＦＩＤ）回路、近距離通信（ＮＦＣ）回路、ブルートゥース回路、及びＷｉＦｉ回路からなる群から選択される、請求項６に記載の電気化学セル。
【請求項８】
前記集積回路が、前記アノード及び前記カソードと電気的に結合されている、請求項１から７のいずれか一項に記載の電気化学セル。
【請求項９】
前記磁気ダイバータにラベルが付着されている、請求項１から８のいずれか一項に記載の電気化学セル。
【請求項１０】
前記磁気ダイバータがラベル内に含まれている、請求項１から９のいずれか一項に記載の電気化学セル。
【発明の詳細な説明】
【技術分野】
【０００１】
本発明は、集積回路を含む電気化学セルに関する。
【背景技術】
【０００２】
電気化学セル又は電池は、一般に、電気エネルギ源として使用される。電池は、通常アノードと称される負極と、通常カソードと称される正極とを含む。アノードは、酸化可能な活性物質を含有する。カソードは、還元可能な活性物質を含有する。アノードの活性物質は、カソードの活性物質を還元することができる。アノードとカソードとの間にはセパレータが配置される。電解質がまた、電池内に含まれている。上述した要素は、一般に、金属缶内に配置されている。
【０００３】
電池が装置における電気エネルギ源として使用される場合、電気的接点は、電池のアノード及びカソードに形成され、電子が装置を通って流れるのを可能とし、装置に電力を供給するためにそれぞれ酸化及び還元反応が生じるのを可能とする。アノード及びカソードに接触している電解質は、放電中の電池全体の電荷平衡を維持するために、電極間のセパレータを流れるイオンを含有している。
【０００４】
電池テスターは、電池残容量などの電池の特性を判定するために使用されることができる。電池上に配置された一般的な例示的なタイプの電池テスターは、サーモクロミック型テスターとして知られている。サーモクロミック電池テスターにおいて、１つ又は２つのボタンスイッチを手動で押下する消費者によって完結される回路が存在し得る。スイッチが押下されると、消費者は、サーモクロミックテスターに電池を接続する。サーモクロミックテスターは、例えば、電気抵抗もその長さに沿って変化するように可変幅を有する平坦な銀層である銀抵抗を含むことができる。電流が銀抵抗を介して移動するのにともない、消散される電力は、銀抵抗を介してサーモクロミックインクディスプレイの色が変化する熱を発生させる。サーモクロミックインクディスプレイは、電池の相対的能力を示すためのゲージとして配置されている。しかしながら、通常、サーモクロミック電池テスターを使用して電池をテストするために手で電池を保持する及び／又は装置から電池を取り外すことが必要である。他の電池テスターシステムには、消費者と電池との間の手動操作を必要としないことが望まれている。さらに、電池の全体寸法を増大させることなく高度な処理及び通信能力を含む電池テスターシステムが望まれている。
【発明の概要】
【課題を解決するための手段】
【０００５】
本発明はまた、少なくとも１つの開放端及び側壁を有するハウジングを備える電気化学セルに関する。ハウジングは、アノード、カソード、アノードとカソードとの間に配置されるセパレータ及び電解質を含む。磁気ダイバータは、ハウジングの側壁の外面に貼付されている。集積回路は、凹部内に配置されている。
【図面の簡単な説明】
【０００６】
本明細書は、本発明を構成するとみなされる主題を具体的に指摘し且つ明確に主張する特許請求の範囲を結論とするが、本発明は、添付の図面と関連してなされた以下の説明によってより良好に理解されると考えられる。
【図１】円筒状電気化学セルの断面図である。
【図２】角柱状電気化学セルの斜視図である。
【図３】本発明の集積回路を含む電気化学セルの断面図である。
【発明を実施するための形態】
【０００７】
電気化学セル又は電池は、一次又は二次とすることができる。一次電池は、例えば一度のみ使い切りまで放電された後に廃棄されるように意図されている。一次電池については、例えば、Ｄａｖｉｄ  Ｌｉｎｄｅｎ、Ｈａｎｄｂｏｏｋ  ｏｆ  Ｂａｔｔｅｒｉｅｓ（ＭｃＧｒａｗ−Ｈｉｌｌ，４th  ｅｄ．２０１１）に記載されている。二次電池は、再充電されるように意図されている。二次電池は、放電された後に、例えば、５０回より多く、１００回より多く又は１０００回より多くなど、何度も再充電されることができる。二次電池は、例えば、Ｄａｖｉｄ  Ｌｉｎｄｅｎ、Ｈａｎｄｂｏｏｋ  ｏｆ  Ｂａｔｔｅｒｉｅｓ（ＭｃＧｒａｗ−Ｈｉｌｌ，４th  ｅｄ．２０１１）に記載されている。電池は、水性又は非水電解質を含むことができる。したがって、電池は、様々な電気化学的結合及び電解質の組み合わせを含むことができる。本明細書において提供された記載及び実施例は一次電池を対象としており、より具体的には、アルカリ一次電池を対象としているが、本発明は、一次及び二次電池の双方に適用され、それらの実施形態にかかわらず、一次及び二次電池は、双方とも本出願の範囲内であることが理解されるべきである。
【０００８】
図１を参照すると、例示的な円筒状電気化学セル又は電池１０は、カソード１２と、アノード１４と、セパレータ１６と、ハウジング１８とを含む。電池１０はまた、集電体２０と、絶縁体又はグロメットとも称されるシール２２と、エンドキャップ２４とを含む。エンドキャップ２４、集電体２０、及びシール２２は、エンドキャップ組立体３０を形成する。エンドキャップアセンブリ３０は、電池１０についての負端子として機能することができる。ピップ２６がエンドキャップアセンブリ３０の反対側の電池１０の端部に配置されている。ピップ２６は、エンドキャップアセンブリ３０が電池１０の負端子として機能する場合には電池１０の正端子として機能することができる。電解液（図示しない）は、電池１０の全体に分散されている。
【０００９】
図２を参照すると、例示的な角柱状電気化学セル又は電池１０は、ハウジング１８内に、カソードと、アノードと、セパレータとを含む（全て図示しない）。ハウジング１８は、例えば矩形又は正方形である形状など、少なくとも２つの平行板を備える形状などの角柱状を有することができる。電池１０は、集電体と、絶縁体又はグロメットとも称されるシールと、エンドキャップとを含む（全て図示しない）。ピップ２６が電池１０の端部に配置されている。電解液（図示しない）は、電池１０の全体に分散されている。
【００１０】
図１及び図２を参照すると、ハウジング１８は、一般に電池に用いられる任意の従来のタイプのものとすることができ、例えば、ニッケルメッキ冷延鋼又はプラスチックなどの任意の適切な材料から構成されることができる。材料は、約１．０ｍｍ未満、好ましくは約０．１０ｍｍから約０．２５ｍｍの全厚を有することができる。ハウジング１８は、深絞りなどの打ち抜き工程を介して形成されることができる。絞られたハウジング１８は、少なくとも１つの開放端４６を含むことができる。ハウジングは、ハウジング１８が絞られたときに一体的に形成された閉鎖端３４を有することができる。閉鎖端３４は、ハウジング１８の開放端４６の反対側とすることができる。ハウジング１８は、ハウジングの開放端４６から閉鎖端３４まで及ぶ側壁２８を含むことができる。側壁２８は、長さＬを有することができる。ハウジング１８は、従来の円筒形を有することができ−又は例えば角柱状などの任意の他の適切な非円筒形を有することができる。ハウジング１８の内壁は、電極の低電気接触抵抗を有する材料によって処理されることができる。ハウジング１８の内壁は、例えば、ニッケル、金若しくは他の金属を用いてメッキされることができ、又は、炭素充填塗料によって塗装されることができる。
【００１１】
電池には、様々なサイズ及び寸法がある。国際電気標準会議（ＩＥＣ）は、例えば、小売りで消費者に利用可能な電池についての標準的なサイズ及び寸法を確立している。ＩＥＣは、例えば、単四電池、単三電池、単二電池及び単一電池など、図１の例示的な電池と同様に、円筒状電池の標準的なサイズ及び寸法を設定している。単三電池は、約４９．２ｍｍのピップ端から負接点までの最短距離及び約１３．５ｍｍから約１４．５ｍｍの範囲の直径とともに約５０．５ｍｍの最大長さを有することができる。単四電池は、約４３．３ｍｍのピップ端から負接点までの最短距離及び約９．５ｍｍから約１０．５ｍｍの範囲の直径とともに約４４．５ｍｍの最大長さを有することができる。同様に、標準的なサイズ及び寸法は、非円筒状電池についても設定されている。９Ｖアルカリ電池は、例えば、約４８．５ｍｍの最大高さと、約２６．５ｍｍの最大長さと、約１７．５ｍｍの最大幅とを有する角柱状又は矩形状を有する。個々の電池又は装置の製造業者は、図２の例示的な電池と同様に、リチウムイオン角柱電池などの小売りで一般的に利用できないことがある角柱状電池についての寸法を指定することができる。この種の角柱状電池は、約５ｍｍ未満の高さ、約４２ｍｍ未満の長さ及び約３４ｍｍ未満の幅を有することができる。なお、本発明は、円筒状や角柱状などの様々な大きさ、及び、単三、単四、単二、単一、９Ｖなどの寸法、並びに、個々の電池又は装置の製造業者によって指定されたものの電池に適用され、電気化学セルは、ＩＥＣによって設定されたものなど、標準的な電池の寸法を上回らない又は下回らない集積回路を含むことが理解されるべきである。
【００１２】
エンドキャップアセンブリ３０は、集電体２０と、シール２２と、エンドキャップ２４とを含むことができる。集電体２０は、例えば、亜鉛、銅、真鍮、青銅などの金属又は任意の他の適切な材料から構成されることができる。集電体２０は、必要に応じて、錫、亜鉛、ビスマス、インジウム、又は、集電体２０と例えばアノード１４との間に低電気接触抵抗を示す他の適切な材料によってメッキされることができる。シール２２は、例えば、ナイロンなどのポリアミド樹脂から構成されることができる。エンドキャップ２４は、例えば、鋼、ステンレス鋼、黄銅などの金属又は他の任意の適切な材料から構成されることができる。エンドキャップ２４は、必要に応じて、ニッケル、金、真鍮、又は、エンドキャップ２４と例えば装置内の電気的接点（図示しない）との間に低電気接触抵抗を示す他の適切な材料によってメッキされることができる。
【００１３】
エンドキャップアセンブリ３０は、ハウジング１８の少なくとも１つの開放端４６上に配置されることができる。エンドキャップアセンブリがハウジング１８の少なくとも１つの開放端４６内に装着された場合に、ハウジング１９の側壁２８の一部は、エンドキャップアセンブリ３０を越えて延在することができる。エンドキャップアセンブリを越えて延在するハウジング１８の側壁の一部は、閉鎖された電池１０のハウジング１８をシールするようにエンドキャップアセンブリ３０にわたって圧着されることができる。
【００１４】
カソード１２は、１つ以上の電気化学的に活性なカソード材料を含む。電気化学的に活性なカソード材料は、酸化マンガン、二酸化マンガン、電解二酸化マンガン（ＥＭＤ）、化学二酸化マンガン（ＣＭＤ）、高出力電解二酸化マンガン（ＨＰ  ＥＭＤ）、ラムダ二酸化マンガン及びそれらの混合物を含むことができる。他の電気化学的に活性なカソード材料は、これらに限定されるものではないが、酸化銀、酸化ニッケル、オキシ水酸化ニッケル、酸化銅、銅ヨウ素酸塩などの銅塩、酸化ビスマス、高原子価ニッケル、酸素、それらの合金及びそれらの混合物を含む。酸化ニッケルは、オキシ水酸化ニッケル、オキシ水酸化コバルトでコーティングされたオキシ水酸化ニッケル、脱リチウム層状リチウムニッケル酸化物及びそれらの組み合わせを含むことができる。オキシ水酸化ニッケルは、β−オキシ水酸化ニッケル、γ−オキシ水酸化ニッケル、及び／又は、β−オキシ水酸化ニッケル及び／又はγ−オキシ水酸化ニッケルの合生を含むことができる。オキシ水酸化コバルトでコーティングされたオキシ水酸化ニッケルは、オキシ水酸化コバルトでコーティングされたβ−オキシ水酸化ニッケル、オキシ水酸化コバルトでコーティングされたγ−オキシ水酸化ニッケル、及び／又は、オキシ水酸化コバルトでコーティングされたβ−オキシ水酸化ニッケル及びγ−オキシ水酸化ニッケルの合生を含むことができる。ニッケル酸化物は、０．１≦ｘ≦０．９及び０．１≦ｙ≦０．９である一般化学式Ｌｉ1-xＨyＮｉＯ2を有する部分脱リチウム化層状ニッケル酸化物を含むことができる。高原子価のニッケルは、例えば、四価ニッケルを含むことができる。
【００１５】
カソード１２はまた、炭素粒子及びバインダーを含んでもよい。カソード中に炭素粒子を含有することにより、電子がカソードを貫流できるようになる。炭素粒子は、膨張黒鉛や天然黒鉛などの黒鉛とすることができる。カソードにおいて使用可能なバインダーの例は、ポリエチレン、ポリアクリル酸又はＰＶＤＦ若しくはＰＴＦＥなどのフッ素樹脂を含む。ポリエチレンバインダーの例は、商品名ＣＯＡＴＨＹＬＥＮＥ  ＨＡ−１６８１（ヘキスト又はデュポン社から入手可能）のもとに販売されている。カソード１２はまた、他の添加剤を含んでもよい。カソードは、例えば、プレスされたペレットの形態で提供されてもよい。
【００１６】
アノード１４は、少なくとも１つの電気化学的に活性なアノード材料、ゲル化剤及びガス発生阻害剤などの少量の添加剤から形成されることができる。電気化学的に活性なアノード材料は、亜鉛、カドミウム、鉄、ＡＢ5、ＡＢ2及びＡ2Ｂ7などの金属水素化物、それらの合金及びそれらの混合物を含むことができる。ゲル化剤の例は、ポリアクリル酸、グラフトされたデンプン材料、ポリアクリル酸の塩、カルボキシメチルセルロース、カルボキシメチルセルロースの塩（例えば、カルボキシメチルセルロースナトリウム）又はそれらの組み合わせを含むことができる。アノードは、ビスマス、錫又はインジウムなどの無機材料を含むことができるガス発生阻害剤を含むことができる。あるいは、ガス発生阻害剤は、リン酸エステルなどの有機化合物、イオン性界面活性剤又は非イオン性界面活性剤を含むことができる。
【００１７】
電解質は、カソード１２、アノード１４及びセパレータ１６の全体に分散されてもよい。電解質は、水性溶液中のイオン伝導性成分を含む。イオン伝導性成分は、水酸化物とすることができる。水酸化物としては、例えば、水酸化ナトリウム、水酸化カリウム、水酸化リチウム、水酸化セシウム及びそれらの混合物とすることができる。イオン伝導性成分はまた、塩を含むことができる。塩は、例えば、塩化亜鉛、塩化アンモニウム、過塩素酸マグネシウム、臭化マグネシウム及びそれらの混合物とすることができる。イオン伝導性成分の濃度は、電池設計及びその所望の性能に応じて選択されることができる。例示的な水性アルカリ電解質は、水との溶液中の水酸化カリウムなどのイオン伝導性成分として水酸化物を含むことができる。水性アルカリ電解質はまた、酸化亜鉛（ＺｎＯ）を含むことができる。
【００１８】
セパレータ１６は、織又は不織の紙や布を含むことができる。セパレータ１６は、例えば不織材料の層と組み合わせたセロハンの層を含むことができる。セパレータはまた、不織材料の追加層を含むことができる。セパレータ材料は、薄くてもよい。セパレータは、例えば、１５０マイクロメートル（ミクロン）未満の乾燥厚さを有することができる。セパレータは、０．３９Ｐａ（４０ｇ／ｍ2）以下の坪量を有する。セパレータ１６は、ＩＳＯ  ２９６５において定義されたように、約２０００ｃｍ3／ｃｍ2分＠  １ｋＰａから約５０００ｃｍ3／ｃｍ2分＠  １ｋＰａの通気性値を有することができる。
【００１９】
図３を参照すると、電池１０は、集積回路（ＩＣ）３２を含む。ＩＣは、ディスクリートな要素が与えられた機能を実行するように相互接続された半導体ウェハ若しくはチップ又は金属、ポリマー又はセラミック基板などの単一の基板上に構築されたトランジスタ、抵抗器、ダイオード、インダクタ及びコンデンサの回路を含むことができる。ＩＣ  ３２は、任意の適切な形状とすることができる。ＩＣ  ３２は、長さ、幅及び高さを有する矩形又は正方形の形状を有することができる。ＩＣ  ３２は、約３ｍｍ未満、好ましくは約０．５ｍｍから約２ｍｍの幅を有することができる。ＩＣ  ３２は、約１．０ｍｍ未満、好ましくは約０．０２ｍｍから約０．１０ｍｍの高さを有することができる。
【００２０】
ＩＣ  ３２は、電池１０によって給電されてもよく（アクティブ）、電池１０によって部分的にのみ給電されてもよく（セミアクティブ又は電池補助パッシブ）、又は、例えば外部電源よる給電など電池１０によって給電されなくてもよい（パッシブ）。ＩＣは、アナログ−ディジタル変換器及び通信回路を含むことができる。通信回路は、例えば、ＩＳＯ／ＩＥＣ  １４４４３、１５９６１、１５９６２、１５９６３及び１８０００通信規格内に含まれる無線自動周波数識別（ＲＦＩＤ）回路及び近距離通信（ＮＦＣ）回路、例えばＩＥＥＥ  ８０２．１５．１通信規格内に含まれるブルートゥース回路、例えばＩＥＥＥ  ８０２．１１通信規格内に含まれるＷｉＦｉ回路、通信ＩＥＥＥ  ８０２通信規格内に含まれるジグビー回路、及び、任意の適切な固定無線通信回路などを任意の適切な通信回路とすることができる。通信回路は、高周波（ＨＦ）１３．５６ＭＨｚ、極超短波（ＵＨＦ）（８６０〜９５６ＭＨｚ）又はマイクロ波周波数（２．４〜５．８ＧＨｚ）などの任意の適切な周波数帯域を利用することができる。他の通信回路は、可聴又は非可聴音として使用可能である。
【００２１】
ＩＣ  ３２は、電池に対する任意数の一連の機能を実行することができる。ＩＣ  ３２は、過放電保護；過充電保護；残容量判定；電圧判定；サイクル寿命判定；及び電力管理を提供することができる。電力管理機能は、電池識別；電池健全状態；電池保護；セル平衡；残容量計測；充電制御；電圧変換；負荷規制；電池オン／オフ給電；電力設定調整；再充電許可又は防止；電池バイパス；温度監視；及び充電速度調整を含むことができる。ＩＣは、例えば消費者に対してバッテリについての情報を提供するためにオンセル遠隔表示システムにおいて使用可能である。オンセル遠隔表示システムは、ＩＣ；少なくとも１つの抵抗；少なくとも１つのコンデンサ；アンテナを含むことができる。少なくとも１つの抵抗及び少なくとも１つのコンデンサは、オンセル遠隔表示システムの所望の用途に応じてＩＣに組み込まれてもよい。オンセル遠隔表示システムが取り付けられた電池のハウジングが金属である場合には、オンセル遠隔表示はまた、磁気ダイバータを含んでもよい。磁気ダイバータは、例えば、ハウジングに隣接して被覆する薄いフェライト材料であってもよい。磁気ダイバータは、ハウジング１８の表面に貼付された又はラベル内に組み込まれたフィルムであってもよい。磁気ダイバータは、ハウジング１８の表面に塗装又はコーティングされてもよい。磁気ダイバータは、例えば、約３０マイクロメートルから約３００マイクロメートルの厚さであってもよい。アンテナは、例えば、磁気ダイバータ上に配置された数ターンの薄いアンテナ導体から構成されてもよい。アンテナ導体は、銅、アルミニウム、銀、金、他の導電性金属、それらの合金及びそれらの混合物などの導電性材料を含むことができる。アンテナは、箔から構成されてもよい。アンテナは、印刷又は塗装されてもよい。オンセル遠隔表示システムのディスクリート要素は、互いに電気的に接続されることができる。電池残容量などのＩＣによって実行される機能から得られた情報は、オンセル遠隔表示システムを介して外部のリーダに対して通信されることができる。
【００２２】
ＩＣは、一般に、接着剤又は溶接によって電池１０に固定されることができる。適切な接着剤は、のり、エポキシ及び例えば熱伝導性且つ電気絶縁性がある任意の他の適切な接着剤を含む。適切な溶接法は、圧着、超音波溶接及びそれらの組み合わせ又は任意の他の許容可能な溶接プロセスを含む。ＩＣは、エポキシなどの保護材料によってカプセル化されてもよい。材料は、環境条件からＩＣを保護することができ、また、電池又はラベル（後述する）にＩＣを取り付けることができる。
【００２３】
ＩＣは、電池のアノード及びカソードと電気的に結合されることができる。ＩＣは、直列、並列又はそれらの組み合わせとすることができる。例えば、導電性トレース又はフレキシブル回路は、ＩＣに電池のアノードを且つＩＣに電池のカソードを接続することができる。導電トレースは、導電性ポリマー、導電性接着剤、グラファイトなどの導電性カーボン、並びに、アルミニウム、ニッケル、銀、銅、金及び錫などの導電性金属などの導電性である任意の適切な材料から形成されることができる。導電性トレースは、電池に直接印刷されてもよく、電池に取り付けられた金属細線であってもよく、電池に取り付けられた絶縁細線であってもよく、又は、アノードからＩＣに対する且つカソードからＩＣに対する電気的接続を提供する任意の他の適切な形態であってもよい。
【００２４】
電池１０は、側壁２８を有するハウジング１８を含む。電池１０はまた、ハウジング１８内に、カソードと、アノードと、セパレータとを含む（全て図示しない）。電解液（図示しない）は、電池１０の全体に分散されている。集積回路（ＩＣ）３２を含む磁気ダイバータ３８は、ハウジング１８の側壁２８の外面に貼付されている。磁気ダイバータ３８は、約２００マイクロメートル未満の厚さとすることができる。ラベル４０は、ハウジング１８の側壁２８の外面に貼付されている。ラベル４０は、ラベル画像及びテキストを有する透明又は半透明層による積層多層フィルムとすることができる。ラベル４０は、ポリ塩化ビニル（ＰＶＣ）、ポリエチレンテレフタレート（ＰＥＴ）、及び他の同様のポリマー材料から作られることができる。ラベル４０は、通信回路を含むことができる。ラベル４０はまた、アンテナと、電池特性測定回路とを含むことができる。通信回路、アンテナ及び電池特性測定回路は、代わりに、ＩＣ  ３２内に含めることができる。磁気ダイバータ３８は、アンテナ３２との干渉を抑制するために、フェライト材料から形成されることができ、アンテナとハウジング１８との間に配置されることができる。磁気ダイバータ３８は、ラベル４０に組み込まれることができる。磁気ダイバータ３８は、凹部３６を含むことができる。凹部は、磁気ダイバータ３８から切り取られることができる。凹部は、代わりに、磁気ダイバータの全体厚さと比較した場合に厚さが実質的に小さい磁気ダイバータの領域としてもよい。ＩＣ  ３２は、凹部３６内に配置されることができる。フレキシブル回路４２は、ＩＣ  ３２と電気的に通信することができる。ラベル４０は、ＩＣ  ３２及びフレキシブル回路４２を含む磁気ダイバータ３８に貼付されることができる。ＩＣ  ３２、フレキシブル回路４２及びラベル４０を含む磁気ダイバータ３８は、約０．５ｍｍ未満、好ましくは約０．０５ｍｍから約０．２ｍｍまでの全体厚さを有する。抵抗器、コンデンサ、インダクタ、ダイオード、送信機及びそれらの任意の組み合わせなどのディスクリート要素は、ＩＣ  ３２に加えて凹部３６内に配置されてもよい。電池１０のハウジング１８もまた、凹部を含むことができる（図示しない）。ハウジング１８に面した磁気ダイバータ３８の面を越えて延在する磁気ダイバータ３８の凹部３６内に含まれるＩＣ、及び任意の追加の要素は、ハウジング１８上の凹部（図示しない）内に配置されることができる。ＩＣ  ３２、フレキシブル回路４２、及びラベル４０を含む磁気ダイバータ３８が電池１０に貼付されている場合、電池１０の最大寸法は、ＩＥＣ規格を超えない。
【００２５】
本明細書に開示された寸法及び値は、記載された正確な数値に厳しく限定されるものとして理解されるべきではない。代わりに、特に明記のない限り、そのような各寸法は、記載された値とその値の周辺の機能的に同等の範囲の双方を意味するように意図される。例えば、「４０ｍｍ」として開示された寸法は、「約４０ｍｍ」を意味するように意図される。
【００２６】
任意の相互参照又は特許若しくは出願に関連するものを含む本明細書において引用された全ての文書は、明示的に除外又は限定されない限り、本明細書においてその全体を参照することによって本明細書に組み込まれる。いかなる文書の引用も、それが本明細書において開示された又は特許請求の範囲に記載されたいかなる発明に対する先行技術であると、又は、単独で若しくは任意の他の参照との任意の組み合わせにおいていかなるそのような発明も教示、示唆若しくは開示していると認めるものではない。さらに、本文書における用語の任意の意味又は定義が、参照することによって組み込まれた文書内の同じ用語の意味又は定義と競合する程度に、本文書におけるその用語に与えられた意味又は定義が適用されるものとする。
【００２７】
本発明の特定の実施形態が例示されて説明されたが、本発明の精神及び範囲から逸脱することなく様々な他の変形及び変更が行われ得ることは当業者にとって明白であろう。したがって、添付の特許請求の範囲において、本発明の範囲内にあるそのような全ての変形及び変更を網羅するように意図される。
【図１】
2016518682.tif 000003
【図２】
2016518682.tif 000004
【図３】
2016518682.tif 000005
【国際調査報告】
2016518682.tif 000006
2016518682.tif 000007
2016518682.tif 000008